(57)【要約】【課題】複数の時刻情報が提供されうる環境において、番組録画予約等を正確かつ確実に行うための時刻管理情報を適切に選択或いは設定することのできるテレビ放送受信装置を提供する。【解決手段】本発明に係るテレビ放送受信装置は、デジタルテレビ放送を受信するデジタル放送受信部と、デジタルテレビ放送に含まれる第１の時刻情報を抽出する第１の時刻抽出部と、電気通信回線を介して第２の時刻情報を抽出する第２の時刻抽出部と、時刻を設定可能に構成された電子時計と、電子時計に対して時刻を設定し電子時計の時刻に基づき各種時刻管理を行う制御部とを備え、制御部は、第１の時刻情報が得られた場合にはその時刻情報を用いて電子時計の時刻を設定し、第１の時刻情報が得られず第２の時刻情報が得られた場合には第２の時刻情報を用いて電子時計の時刻を設定することを特徴とする。【選択図】  図１
2006186568.tif 000002
【特許請求の範囲】
【請求項１】
デジタルテレビ放送を受信するデジタル放送受信部と、
前記デジタルテレビ放送に含まれる第１の時刻情報を抽出する第１の時刻抽出部と、
電気通信回線を介して第２の時刻情報を抽出する第２の時刻抽出部と、
時刻を設定可能に構成された電子時計と、
前記電子時計に対して前記時刻を設定すると共に、前記電子時計の時刻に基づいて各種時刻管理を行う制御部と、
を備え、
前記制御部は、前記第１の時刻情報が得られた場合には前記第１の時刻情報を用いて前記電子時計の時刻を設定し、前記第１の時刻情報が得られず前記第２の時刻情報が得られた場合には前記第２の時刻情報を用いて前記電子時計の時刻を設定することを特徴とするテレビ放送受信装置。
【請求項２】
前記制御部は、前記第１の時刻情報および前記第２の時刻情報の双方が得られなかった場合において、ユーザによって前記電子時計の時刻が設定されているときには前記電子時計の時刻に基づいて各種時刻管理を行い、ユーザによって前記電子時計の時刻が設定されていないときには、ユーザに対して時刻の設定を促す表示を行うことを特徴とする請求項１に記載のテレビ放送受信装置。
【請求項３】
前記制御部は、前記第１の時刻情報を用いて前記電子時計の時刻を設定した後に前記第１の時刻情報が得られなくなった場合において、前記第２の時刻情報が得られたときには前記第２の時刻情報を用いて前記電子時計を再設定することを特徴とする請求項１に記載のテレビ放送受信装置。
【請求項４】
前記制御部は、自動時刻設定の許可がユーザによって設定された場合に限り、得られた前記第１の時刻情報および前記第２の時刻情報を用いて前記電子時計の時刻を設定することを特徴とする請求項１に記載のテレビ放送受信装置。
【請求項５】
前記制御部は、前記自動時刻設定の許可或いは拒否の設定をユーザに対して促すための表示を行うことを特徴とする請求項４に記載のテレビ放送受信装置。
【請求項６】
デジタルテレビ放送に含まれる第１の時刻情報を抽出し、
電気通信回線を介して第２の時刻情報を抽出し、
前記第１の時刻情報が得られた場合には前記第１の時刻情報を用いて内蔵する電子時計の時刻を設定し、
前記第１の時刻情報が得られず前記第２の時刻情報が得られた場合には前記第２の時刻情報を用いて前記電子時計の時刻を設定し、
設定された前記電子時計の時刻に基づいて各種時刻管理を行う、
ことを特徴とするテレビ放送受信装置の受信方法。
【発明の詳細な説明】
【技術分野】
【０００１】
本発明は、テレビ放送受信装置およびその受信方法に係り、特にアナログおよびデジタル放送を受信するとともにインターネットに接続されるテレビ放送受信装置およびその受信方法に関する。
【背景技術】
【０００２】
近年、地上波デジタル方法が開始され、従来の衛星デジタル放送に加えてテレビ放送のデジタル化が普及しつつある。
【０００３】
デジタルテレビ放送では、デジタル化された映像信号や音声信号に加えて各種のデジタルデータも放送されており視聴者に対して種々のサービスの提供や情報の提供を行うことができる。
【０００４】
デジタルテレビ放送が提供する情報には、いわゆる電子番組表（ＥＰＧ：Electronic Program Guide）や現在時刻および日付情報を含んだＴＯＴ（Time Offset Table）情報が含まれている。
【０００５】
電子番組表は、新聞や雑誌で提供される番組表と異なり、突然の番組変更があった場合でも変更内容を反映して配信されるもので、視聴者にとって利便性の高いものとして受け入れられている。
【０００６】
また、ＴＯＴは、電子番組表と共に放送局から配信される正確な時刻を示す情報であり、放送局から配信される際にはＴＯＴと電子番組表の時刻とは相互に整合性が確保された形態で配信される。このため、ＴＯＴと電子番組表とを組み合わせることによって、例えば正確で失敗の無い番組予約録画等が可能となる。
【０００７】
一方、今日のテレビ放送受信装置を含む電子機器の多くは電子時計を内蔵しており、この電子時計の時刻に基づいて種々の時刻管理を行っている。電子時計の時刻設定は、電子機器の使用開始時等にユーザが手動で設定する形態のものが多く、設定時における設定誤差を完全には排除できない。また、電子機器の使用経過に伴って時刻誤差が生じうる。
【０００８】
そこで、放送局から配信される正確な時刻情報であるＴＯＴを用いて、内蔵する電子時計の時刻情報を補正し、より正確な時刻管理を行う技術が開発されている。
【０００９】
例えば、特許文献１には、内蔵する電子時計の時刻情報とＴＯＴの差、即ち電子時計の誤差分を適宜記憶するメモリを備えた構成とし、正確な時刻管理が必要となる場合にはメモリに記憶されている電子時計の誤差分と電子時計の時刻とを用いて正確な時刻情報を得ることができる技術を開示している。
【特許文献１】米国特許出願公開第２００２／０１０１７８７号明細書
【発明の開示】
【発明が解決しようとする課題】
【００１０】
ところで、今日、インターネットと接続することによって種々のサービスを享受できる形態のテレビ放送受信装置が普及してきている。この種のテレビ放送受信装置はインターネットを介して、デジタル放送だけでなくアナログ放送の電子番組表を入手することが可能である。また、同時にインターネットを介して時刻情報（以下、インターネット時刻という。）を入手することも可能である。
【００１１】
インターネットを介して配信される電子番組表とインターネット時刻とは相互に整合性が確保された形態で配信される。このため、インターネットを介して受信した電子番組表を用いて番組予約録画等をする場合には、インターネット時刻を用いることで最も正確で確実な番組予約録画等が可能となる。
【００１２】
このように、今日のテレビ放送受信装置には、内蔵する電子時計の時刻情報、デジタル放送の放送局から配信されるＴＯＴによる時刻情報、およびインターネットを介して配信されるインターネット時刻等、３以上の複数の時刻情報が提供される場合が多くなってきている。
【００１３】
しかしながら、従来のテレビ放送受信装置は、３以上の複数の時刻情報が提供された場合に、受信環境等に応じて最も適切な時刻情報を選択する手段を備えていなかった。ここで、「最も適切な時刻情報」とは、配信される電子番組表等のサービスと整合性が確保された時刻情報のことをいう。例えば、デジタル放送から配信される電子番組表を用いる場合にはデジタル放送に含まれるＴＯＴの時刻情報が「最も適切な時刻情報」であり、インターネットを介して配信される電子番組表を用いる場合にはインターネット時刻が「最も適切な時刻情報」となる。
【００１４】
従来は、最も適切な時刻情報を選択する手段を備えていなかったため、例えば、デジタルテレビ放送の受信機能とインターネット接続機能との双方の機能を備えたテレビ放送受信装置であってもいずれか一方から提供される時刻情報のみを固定的に用いらざるをえなかった。
【００１５】
この結果、例えば、デジタルテレビ放送のＴＯＴを時刻情報として固定的に用いていた場合に、降雨等でデジタルテレビ放送が受信できなくなった時にはＴＯＴを受信することができず、また、インターネットに接続されているにもかかわらずインターネット時刻を用いるようには構成されていないため、結果的には精度の劣る、即ち「最も適切な時刻情報」ではない内蔵された電子時計の時刻情報を用いらざるを得なかった。
【００１６】
また、内蔵されている電子時計の時刻が適切に設定されていなかった場合には、誤った時刻情報を用い続けるという問題もあった。
【００１７】
本発明は、上記事情に鑑みてなされたもので、複数の時刻情報が提供されうる環境において、番組録画予約等を正確かつ確実に行うための時刻管理情報を適切に選択或いは設定することのできるテレビ放送受信装置およびその受信方法を提供することを目的とする。
【課題を解決するための手段】
【００１８】
本発明に係るテレビ放送受信装置は、上記課題を解決するため、請求項１に記載したように、デジタルテレビ放送を受信するデジタル放送受信部と、デジタルテレビ放送に含まれる第１の時刻情報を抽出する第１の時刻抽出部と、電気通信回線を介して第２の時刻情報を抽出する第２の時刻抽出部と、時刻を設定可能に構成された電子時計と、電子時計に対して時刻を設定すると共に、電子時計の時刻に基づいて各種時刻管理を行う制御部と、を備え、制御部は、第１の時刻情報が得られた場合には第１の時刻情報を用いて電子時計の時刻を設定し、第１の時刻情報が得られず第２の時刻情報が得られた場合には第２の時刻情報を用いて電子時計の時刻を設定することを特徴とする。
【００１９】
また、本発明に係るテレビ放送受信装置の受信方法は、上記課題を解決するため、請求項６に記載したように、デジタルテレビ放送に含まれる第１の時刻情報を抽出し、電気通信回線を介して第２の時刻情報を抽出し、第１の時刻情報が得られた場合には第１の時刻情報を用いて内蔵する電子時計の時刻を設定し、第１の時刻情報が得られず第２の時刻情報が得られた場合には第２の時刻情報を用いて電子時計の時刻を設定し、設定された電子時計の時刻に基づいて各種時刻管理を行うことを特徴とする。
【発明の効果】
【００２０】
本発明に係るテレビ放送受信装置およびその受信方法によれば、複数の時刻情報が提供されうる環境において、番組録画予約等を正確かつ確実に行うための時刻管理情報を適切に選択或いは設定することができる。
【発明を実施するための最良の形態】
【００２１】
本発明に係るテレビ放送受信装置およびその受信方法の一実施形態について、添付図面を参照して説明する。
【００２２】
（１）テレビ放送受信装置１の構成
図１は、本発明に係るテレビ放送受信装置１の一実施形態のシステム構成例を示した図である。
【００２３】
テレビ放送受信装置１は、衛星放送３２や地上波デジタル放送局３１から送信される放送信号を受信するデジタル放送受信部２、および地上波アナログ放送局３０から送信される放送信号を受信する地上波アナログ放送受信部３を備えており、これらの出力は信号処理部４に接続されている。信号処理部４では受信した放送信号を音声信号と映像信号に分離し、その出力はそれぞれ音声処理部１２と映像処理部１３とに接続されている。
【００２４】
音声処理部１２の出力はスピーカ部１４に接続され、映像処理部１３はＣＲＴや液晶表示器等で構成される映像表示部１５に接続されている。
【００２５】
信号処理部４の他の出力は、ＴＯＴ抽出部（第１の時刻抽出部）５へ接続され、ＴＯＴ抽出部５の出力はさらに制御部７に接続されている。
【００２６】
また、テレビ放送受信装置１は、インターネット（電気通信回線）３３を介してＡＳＰ（Application Service Provider）３４と通信を行う通信Ｉ／Ｆ部６を備えており、通信Ｉ／Ｆ部６の出力は制御部７およびインターネット時刻抽出部（第２の時刻抽出部）８に接続される。
【００２７】
制御部７には、テレビ放送受信装置１が内蔵する電子時計、即ちＲＴＣ（Real Time Clock）９が接続される他、リモートコントローラや操作パネル等で構成される操作部１０も接続される。この他、テレビ放送受信装置１は、制御部７からの適宜の情報を映像表示部１５に表示するための映像データを生成する映像データ生成部１１を備えている。
【００２８】
（２）テレビ放送受信装置１の基本動作
上記のように構成されたテレビ放送受信装置１の基本動作について説明する。
【００２９】
地上波デジタル放送局３１から送信されたデジタル放送は、図示しないアンテナを介して地上波デジタル放送受信部２１に入力される。
【００３０】
同様に、放送衛星３２から送信された衛星デジタル放送波は、図示しないアンテナを介して衛星デジタル放送受信部２２に入力される。
【００３１】
地上波デジタル放送受信部２１では、地上波デジタル放送の変調方式に対応した復調器（図示せず）によって受信信号を復調し、例えば、ＭＰＥＧ２の規格に基づいたデータ列（トランスポートストリーム）を抽出し信号処理部４へ出力する。
【００３２】
同様に、衛星デジタル放送受信部２２では、衛星デジタル放送の変調方式に対応した復調器（図示せず）によって受信信号を復調し、ＭＰＥＧ２の規格に基づいたデータ列（トランスポートストリーム）を抽出した後に信号処理部４へ出力する。
【００３３】
図１に示した本実施形態では、デジタル放送受信部２は、地上波デジタル放送受信部２１および衛星デジタル放送受信部２２の双方を有する形態としているが、いずれか一方のデジタル放送受信部を備えた形態であっても良い。
【００３４】
信号処理部４へ入力されたデータ列（トランスポートストリーム）は、例えばＭＰＥＧ２デコーダ（図示せず）によって音声信号（デジタル）と映像信号（デジタル）とに分離され、音声信号は音声処理部１２へ、また映像信号は映像信号処理部１３へそれぞれ出力される。
【００３５】
音声処理部１２では、入力された音声信号（デジタル）をアナログ音声信号に変換する処理等を行って、スピーカ部１４へ出力する。
【００３６】
また、映像信号処理部１３では、映像データ生成部１１で生成された文字・画像データ等を映像信号（デジタル）に重畳した後に、必要に応じてアナログ信号等に変換してＣＲＴや液晶表示器などで構成される映像表示部１５へ出力する。
【００３７】
地上波アナログ放送受信部３では、地上波アナログ放送局３０から送信されたアナログ放送を受信し、地上波アナログ放送の変調方式に対応した復調器（図示せず）によって受信信号を復調した後、信号処理部４へ出力する。信号処理部４では、入力されたアナログ放送信号を、例えばＭＰＥＧ２エンコーダ（図示せず）を用いて、デジタル録画・録音に適した形態に変換する。ＭＰＥＧ２規格の信号に変換された後は、デジタル放送と同様の処理によって音声処理部１２および映像処理部１３へ出力される。
【００３８】
なお、デジタル録画・録音が必要ない場合には、地上波アナログ放送受信部３において音声信号と映像信号に分離した後、信号処理部４を介さずに音声処理部１２や映像処理部１３へ出力する形態であっても良い。
【００３９】
一方、信号処理部４では、デジタル放送受信部２で抽出されたトランスポートストリームをＴＯＴ抽出部５へ出力する。
【００４０】
ＴＯＴ抽出部５では、トランスポートストリームのデータ列の中から、ＴＯＴ（第１の時刻情報）を抽出する。ＴＯＴは、地上波デジタル放送局３１や放送衛星３２から所定の送信時間間隔で送信される時刻情報であり、ＪＳＴ（Japan Standard Time）や日付情報等を含む時刻情報である。ＴＯＴ抽出部５で抽出されたＴＯＴは、制御部７へ入力される。
【００４１】
他方、通信Ｉ／Ｆ部６は、インターネット（電気通信回線）３３等を介して外部との通信を行う。インターネット３３に接続されるＡＳＰ（Application Service Provider）３４には、インターネット３３を介して時刻情報を提供しているものが多くある。この時刻情報をインターネット時刻（第２の時刻情報）という。
【００４２】
また、ＡＳＰ３４には、アナログ放送やデジタル放送等の電子番組表を提供するものも多くあり、これらのＡＳＰ３４は電子番組表の提供とともにインターネット時刻を提供しているものが多い。
【００４３】
ＡＳＰ３４では、通信Ｉ／Ｆ部６からの送信要求に応答して、電子番組表或いはインターネット時刻を含んだ情報を送信する。
【００４４】
インターネット時刻抽出部８では、通信Ｉ／Ｆ部６で受信したこれらの情報の中から、インターネット時刻を抽出し、制御部７へ出力する。
【００４５】
テレビ放送受信装置１は、近年の多くの電子機器と同様にＲＴＣ（Real Time Clock）９、即ち電子時計を内蔵している。ＲＴＣ９は、ユーザが操作部１０等を用いて任意の時刻を設定可能に構成されているが、通常は現在時刻がユーザによって設定される。
【００４６】
テレビ放送受信装置１では、ＲＴＣ９の時刻を時刻管理情報として利用することによって各種の時刻制御を行う。例えば、予めユーザが設定した時刻にテレビ放送受信装置１の電源をオン・オフする。或いは、予めユーザが設定したチャネルの番組を設定時刻に録画を開始する。
【００４７】
ところで、上述したように、デジタル放送やＡＳＰ３４からは電子番組表の提供を受けることが可能である。電子番組表には、番組のチャネルや番組の放送日、放送開始時刻、放送終了時刻等の情報が含まれている。また、電子番組表は、新聞や雑誌の番組表と異なり、突然の番組変更があったような場合でも、ほぼリアルタイムに番組内容が変更・更新される。従って、電子番組表を用いて番組予約録画等を行えば、確実に所望の番組を見逃すことなく録画することが可能である。
【００４８】
しかしながら、録画の開始や終了などの時刻管理は、ＲＴＣ９の時刻を用いて行っているため、ＲＴＣ９の時刻が正確でないかぎり電子番組表を用いたとしても正確な予約録画は実現できない。
【００４９】
そこで、本発明に係るテレビ放送受信装置１では、制御部７において、ＴＯＴやインターネット時刻の時刻情報を用いてＲＴＣ９の時刻を設定可能に構成している。
【００５０】
（３）制御部で時刻設定を行うテレビ放送受信装置の受信方法
制御部７で行うＲＴＣ９の時刻設定の詳細について、図２のフローチャートを用いて説明する。
【００５１】
ステップＳＴ１で、デジタルテレビ放送からＴＯＴが受信されたか否かを判定する。地上波デジタル放送或いは衛星放送からは、所定の期間毎にＴＯＴが送信されてくる。従って、判定の方法としては、例えば、この所定の期間に一定のマージンを付加して時間の閾値を設定し、ＴＯＴがこの時間の閾値を越えた期間受信されなかった場合には、ＴＯＴが受信されなかったと判定する。
【００５２】
デジタルテレビ放送からＴＯＴが受信されたと判定された場合には、ステップＳＴ２へ進む。
【００５３】
ステップＳＴ２では、自動時刻設定が許可されているか否かを判定する。自動時刻設定の許可或いは禁止とは、デジタルテレビ放送で受信したＴＯＴを用いてＲＴＣ９を自動的に設定することを許可或いは禁止をすることをいい、ユーザが予めテレビ放送受信装置１に設定することができる。
【００５４】
図３（ａ）は、テレビ放送受信装置１の備えるメニュー機能等を用いて、ユーザが自動時刻設定の許可或いは禁止を設定する際の画面表示例を示したものであり、表示領域Ａ１に表示される表示ウィンドＷ１に適宜の文字列等を表示する。ユーザは文字列の内容を確認した後、操作部１０のリモートコントローラ等を用いて、「はい」或いは「いいえ」を選択し、決定キーで決定することにより、自動時刻設定の許可或いは禁止が設定され、制御部７の適宜のメモリ（図示せず）に記憶される。
【００５５】
制御部７では、このメモリの内容を参照し、自動時刻設定が許可されている場合（ステップＳＴ２のYes）には、デジタルテレビ放送で受信されたＴＯＴをＲＴＣ９に設定し（ステップＳＴ３）、その後ステップＳＴ１０へ進む。
【００５６】
ステップＳＴ１０では、ＴＯＴの時刻によって設定されたＲＴＣ９の時刻情報を用いて各種時刻管理を行う。この結果、例えば、デジタルテレビ放送から提供された電子番組表の番組録画開始時刻は、同じデジタルテレビ放送から提供された時刻情報（ＴＯＴ）に対応したものとなり、正確かつ確実な番組録画が可能となる。
【００５７】
ステップＳＴ１で、デジタルテレビ放送からＴＯＴが受信されなかったと判定された場合には、ステップＳＴ４へ進む。この他、自動時刻設定が許可されていない場合にもステップＳＴ４へ進む。
【００５８】
デジタルテレビ放送からＴＯＴが受信されなかったと判定される場合とは、例えば、テレビ放送受信装置１がデジタルテレビ放送を受信する機能を最初から備えていない場合や、デジタルテレビ放送を受信する機能を備えていたとしても降雨等のなんらかの条件によってデジタルテレビ放送が途中から受信できなくなった場合をいう。
【００５９】
ステップＳＴ４では、ＡＳＰ３４等からインターネット時刻が受信されたか否かを判定する。インターネット時刻が受信されたと判定された場合には、ステップＳＴ５で、さらに自動時刻設定が許可されているか否かをさらに判定する。
【００６０】
この判定は、図３（ａ）と同様に、図３（ｂ）に例示したメニュー画面により、テレビ放送受信装置１の制御部７に予め設定される許可或いは禁止の内容に基づいて判定される。
【００６１】
インターネット時刻による自動時刻設定が許可されている場合には、ステップＳＴ６においてインターネット時刻をＲＴＣ９に設定し、ステップＳＴ１０へ進む。
【００６２】
ステップＳＴ１０では、インターネット時刻によって設定されたＲＴＣ９の時刻情報を用いて各種時刻管理を行う。この結果、例えば、インターネット３３を介してＡＳＰ３４から提供された電子番組表の番組録画開始時刻は、同じＡＳＰ３４から提供された時刻情報（インターネット時刻）に対応したものとなり、正確かつ確実な番組録画が可能となる。
【００６３】
ステップＳＴ４で、インターネット時刻が受信されなかったと判定された場合や、ステップＳＴ５で自動時刻設定が許可されていないと判定された場合には、ステップＳＴ７へ進む。
【００６４】
インターネット時刻が受信されなかったと判定される場合とは、例えば、テレビ放送受信装置１がインターネットとの通信機能を最初から備えていない場合や、インターネットとの通信機能を備えている場合であっても何らかの理由で通信が不能となった場合等である。
【００６５】
ステップＳＴ７では、ＲＴＣ９に時刻が設定されているか否かを判定する。
【００６６】
ここで、ＲＴＣ９に時刻が設定されていない場合（ステップＳＴ７のNo）とは、ＴＯＴおよびインターネット時刻が過去に一度も受信されなかった（これらの受信機能を備えていない場合も含む。）場合か、或いはＴＯＴおよびインターネット時刻による自動時刻設定が禁止されていた場合であり、かつ、ユーザがＲＴＣ９に対して過去に一度も時刻設定をしていない場合である。
【００６７】
このような場合においては、テレビ放送受信装置１が時刻管理を行うためにはユーザにＲＴＣ９の時刻設定を行ってもらう他ない。
【００６８】
そこで、ステップＳＴ８では、ユーザにＲＴＣ９の時刻設定を行ってもらうべく、時刻設定を促す旨の表示を映像表示部１５に対して行う。
【００６９】
図４は、時刻設定を促す旨の表示例を示したものである。表示領域Ａ１に表示された表示ウィンドＷ２の表示内容をユーザが読むことによって、ユーザがＲＴＣ９の時刻設定を省略或いは忘却していた場合であってもユーザの注意を喚起し、ＲＴＣ９に時刻を設定させることが可能となり、テレビ放送受信装置１による時刻管理が可能となる。
【００７０】
ステップＳＴ９で、ＲＴＣ９に時刻が設定されたか否かを判定し、設定されていない場合には設定されるまで時刻設定を促す旨の表示を継続する。一方、ＲＴＣ９に時刻が設定された場合にはステップＳＴ１０へ進む。
【００７１】
なお、ステップＳＴ７で、ＲＴＣ９に時刻が設定されていると判定された場合にも同様にステップＳＴ１０へ進む。
【００７２】
ステップＳＴ１０では、設定されたＲＴＣ９の時刻情報に基づいて、例えば、録画開始や録画終了等の時刻管理を行う。
【００７３】
以上述べてきたように、本発明に係るテレビ放送受信装置１によれば、テレビ放送受信装置１に提供される複数の時刻情報にうち、より正確な時刻情報から順次ＲＴＣ９に設定することができるため、例えば電子番組表を利用する際に正確な時刻管理が可能となり、確実な録画が実現できる他、正確な時刻情報の外部への提供も可能となる。
【００７４】
また、デジタルテレビ放送の受信機能を備えていない場合や、降雨等によってデジタルテレビ放送の受信が中断した場合であっても、インターネット３３を介してインターネット時刻を受信し、インターネット時刻によってＲＴＣ９を設定することが可能であるため、インターネット３３に接続されるＡＳＰ３４から提供される電子番組表を用いてアナログテレビ放送の番組予約録画等を正確、確実に行うことが可能となる。
【００７５】
ＲＴＣ９に対するこれらの時刻設定は自動的に行われるため、ユーザに対して操作負担とはならない。
【００７６】
また、自動時刻設定機能を許可或いは禁止にすることをユーザが選択可能に構成されているため、ユーザが手動で設定したＲＴＣ９の任意の時刻を優先的に使用することも可能であり、柔軟性の高い時刻管理が可能となる。
【００７７】
さらに、ＴＯＴやインターネット時刻が受信されない場合であっても、ＲＴＣ９の時刻設定がされていないときにはユーザに対して時刻設定を促すように表示させることによって、ＲＴＣ９の時刻精度は設定誤差範囲内に留めることが可能となる。
【００７８】
なお、本発明は上記の実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。実施形態に示される全構成要素から幾つかの構成要素を削除してもよい。さらに、異なる実施形態にわたる構成要素を適宜組み合わせても良い。
【００７９】
例えば、図１に示した録画・録音装置３５を、テレビ放送受信装置１の構成に含めた形態であっても良い。また、音声処理部１２，映像処理部１３、スピーカ部１４および映像表示部１５の総て或いはいずれか１以上の構成品をテレビ放送受信装置１の構成に含めない形態であっても良い。
【図面の簡単な説明】
【００８０】
【図１】本発明に係るテレビ放送受信装置の一実施形態のシステム構成例を示す図。
【図２】本発明に係るテレビ放送受信装置の受信方法の一実施形態の処理の流れを示すフローチャート。
【図３】（ａ）は、ＴＯＴによるＲＴＣの自動時刻設定を許可或いは禁止するための設定を行う画像表示例、（ｂ）は、インターネット時刻によるＲＴＣの自動時刻設定を許可或いは禁止するための設定を行う画像表示例を示す図。
【図４】ユーザにＲＴＣの時刻設定を促す画像表示例を示す図。
【符号の説明】
【００８１】
１…テレビ放送受信装置、２…デジタル放送受信部、３…地上波アナログ放送受信部、４…信号処理部、５…ＴＯＴ抽出部（第１の時刻情報抽出部）、６…通信Ｉ／Ｆ部、７…制御部、８…インターネット時刻抽出部、９…ＲＴＣ（電子時計）、１０…操作部、１１…映像データ生成部、１２…音声処理部、１３…映像処理部、１４…スピーカ部、１５…映像表示部、３０…地上波アナログ放送局、３１…地上波デジタル放送局、３２…放送衛星、３３…インターネット（電気通信回線）、３４…ＡＳＰ、３５…録画・録音装置。
【図１】
2006186568.tif 000003
【図２】
2006186568.tif 000004
【図３】
2006186568.tif 000005
【図４】
2006186568.tif 000006